(57)【要約】【課題】従来の後付けルームミラーは既設のルームミラーに一旦固定すると既設のルームミラーに対して相対的に後付け用のルームミラーを左右方向に位置調整しずらいという欠点があった。【解決手段】本発明の車輌用後付けルームミラーにおいては、既設のルームミラーの前面に取り付ける後付けルームミラー本体に対し、この後付けルームミラー本体の前面に設けるミラーを、上記後付けルームミラー本体に対して相対的に移動自在ならしめる。上記後付けルームミラー本体に対して上記ミラーの移動を規制する規制手段を更に設ける。上記規制手段は、上記後付けルームミラー本体とミラーの一方に設けた凹凸部と、この凹凸部の凹部に係合するよう他方に設けた凸部と、この凸部を上記凹凸部に向って弾発的に抑制する手段とより成る。上記後付けルームミラー本体に回動自在に設けたサブミラーを有し、このサブミラーは上記後付けルームミラー本体に対して傾斜したミラーを有する。【選択図】  図１
2004217012.tif 000002
【特許請求の範囲】
【請求項１】
既設のルームミラーの前面に取り付ける後付けルームミラー本体と、この後付けルームミラー本体の前面に設けたミラーと、上記後付けルームミラー本体に対して上記ミラーを相対的に移動自在ならしめるスライド手段とよりなることを特徴とする車輌用後付けルームミラー。
【請求項２】
上記スライド手段が、上記後付けルームミラー本体の前面に設けた本体側レールと、上記ミラーの背面に設けた、上記本体側レールに嵌合するミラー側レールとよりなることを特徴とする請求項１記載の車輌用後付けルームミラー。
【請求項３】
上記後付けルームミラー本体に対して上記ミラーの移動を規制する規制手段を更に設けたことを特徴とする請求項１または２記載の車輌用後付けルームミラー。
【請求項４】
上記規制手段が、上記後付けルームミラー本体とミラーの一方に設けた凹凸部と、この凹凸部の凹部に係合するよう他方に設けた凸部と、この凸部を上記凹凸部に向って弾発的に抑制する手段とよりなることを特徴とする請求項１、２または３記載の車輌用後付けルームミラー。
【請求項５】
上記後付けルームミラー本体に回動自在に設けたサブミラー本体を有し、このサブミラー本体が上記後付けルームミラー本体に対して傾斜したミラーを有することを特徴とする請求項１、２、３または４記載の車輌用後付けルームミラー。
【発明の詳細な説明】
【０００１】
【発明の属する技術分野】
本発明は車輌用後付けルームミラー、特に、車内の既設のルームミラーの前面に被せて使用する車輌用後付けルームミラーに関するものである。
【０００２】
【従来の技術】
従来、後方の視界をより確保するため既設の車内のルームミラーに、広角で横幅の広い車輌用後付けルームミラーを取り付けることが行なわれている（例えば特許文献１）。
【０００３】
【特許文献１】
特開昭６４−３６５３７号公報（第１頁、図２）。
【０００４】
図８〜図１１は上記従来の車輌用後付けルームミラーを示し、１は車内の既設のルームミラー２の前面に取り付けるようにした、正面側を開口した箱状の後付けルームミラー本体、３は上記後付けルームミラー本体１の正面側開口を塞ぐようその縁部に固定した後付けミラー、４は上記後付けルームミラー本体１の背面下部の左右に後付けルームミラー本体１の背面側に夫々突出して設けた下部顎、５は上記後付けルームミラー本体１の背部内面の中央部左右に形成した上下に伸びる溝、６は上記各溝５内に配置した夫々上下動自在な可動片、７は上記各可動片６の上部からルームミラー本体１の背面側に突出して設けた上部可動顎、８は上記各可動片６の前面側に設けた鉤状の爪、９は上記後付けルームミラー本体１の前面中央部に突出して設けたバネ枢支部、１０はその基部１１を上記バネ枢支部９に巻回し、両端１２を夫々上記爪８に係合して上記可動片６を常時下方に付勢するためのコイルバネである。
【０００５】
上記従来の後付けルームミラーにおいては、既設のルームミラー２を上記後付けルームミラー本体１の下部顎４と上部可動顎７とにより挟持せしめれば、上記バネ１０の弾発力によって、後付けルームミラーを既設のルームミラー２に装着することができる。
【０００６】
【発明が解決しようとする課題】
然しながら、上記従来の後付けルームミラーはその下部顎４と上部可動顎７とで既設のルームミラー２を挟持しているため、一旦固定すると既設のルームミラーに対して相対的に後付けルームミラーを左右方向に位置調整するのが困難であり、調整した際に既設のルームミラーが上下に動いてしまうなど、不都合が多かった。
【０００７】
また、既設のルームミラーより幅の広い後付けルームミラーを使用した場合には、サンバイザー使用時、後付けルームミラーの側方部分に触れるようになってしまう。この欠点を除くために特許文献１に示すように、後付け用のルームミラーを下方に移動できるようにするものもがあるが、上下方向にミラーを移動すると視野が大幅に異なってしまうという欠点があった。
【０００８】
本発明は上記のような欠点を除くようにしたものである。
【０００９】
【課題を解決するための手段】
本発明の車輌用後付けルームミラーは、既設のルームミラーの前面に取り付ける後付けルームミラー本体と、この後付けルームミラー本体の前面に設けたミラーと、上記後付けルームミラー本体に対して上記ミラーを相対的に移動自在ならしめるスライド手段とよりなることを特徴とする。
【００１０】
上記スライド手段は、上記後付けルームミラー本体の前面に設けた本体側レールと、上記ミラーの背面に設けた、上記本体側レールに嵌合するミラー側レールとよりなることを特徴とする。
【００１１】
また、上記後付けルームミラー本体に対して上記ミラーの移動を規制する規制手段を更に設けたことを特徴とする。
【００１２】
また、上記規制手段は、上記後付けルームミラー本体とミラーの一方に設けた凹凸部と、この凹凸部の凹部に係合するよう他方に設けた凸部と、この凸部を上記凹凸部に向って弾発的に抑制する手段とよりなることを特徴とする。
【００１３】
また、上記後付けルームミラー本体は、回動自在に設けたサブミラー本体を有し、このサブミラー本体が上記後付けルームミラー本体に対して傾斜したミラーを有することを特徴とする。
【００１４】
【発明の実施の形態】
以下図面によって本発明の実施例を説明する。
【００１５】
本発明の後付けルームミラーは、図１〜図３に示すように、上記後付けルームミラー本体１の正面側の上部縁中央及び下部縁両側に夫々長手方向に伸びる一方のレール１３と、他方のレール１４，１４とを設け、また、図４及び図５に示すように後付けミラー３の背面側の上部縁中央及び下部縁両側に夫々上記一方のレール１３及び他方のレール１４，１４に嵌合する一方のレール１５と、他方のレール１６，１６とを設け、上記後付けルームミラー本体１に対して後付けミラー３を左右方向に移動自在ならしめる。
【００１６】
また、上記後付けルームミラー本体１に対して上記後付けミラー３の左右方向の移動を規制する規制手段を設ける。
【００１７】
この規制手段は例えば、上記後付けミラー３の背面側中央部に設けた上下に伸びる枠１７と、この枠１７内に形成される溝１８と、この溝１８内に上下動自在に設けたＴ字形の可動片１９と、上記可動片１９の下端より上記後付けミラー３の下方に突出した押しボタン２０と、上記可動片１９に上記後付けミラー３の背面側に突出して設けた凸部２１と、上記可動片１９を常時下方に付勢するバネ２２と、上記可動片１９の下方への移動を規制するため上記枠１７の下端に設けた係合部２３と、図１及び図３に示すように上記後付けルームミラー本体１の下部縁上に、上記他方のレール１４，１４間において長手方向に設けた、上記凸部２１の下端が嵌合する凹部を有する凹凸部２４とにより構成する。
【００１８】
本発明の車輌用後付けルームミラーは上記のような構成であるから、上記バネ２２によって、上記凸部２１の下端が上記後付けルームミラー本体１の凹凸部２４の凹部に嵌合して上記後付けミラー３は上記後付けルームミラー本体１に固定され、上記後付けミラー３は上記後付けルームミラー本体１に対して相対的に左右方向には移動しない。
【００１９】
然しながら上記ボタン２０を上記バネ２２に抗して上方に押圧すれば、上記凸部２１の下端が上記凹凸部２４の凹部から外れ、上記後付けミラー３を上記後付けルームミラー本体１に対して相対的に左右方向に移動せしめることができるようになり、上記後付けミラー３が所定の位置に移動した時に上記ボタン２０の押圧を解除すれば、上記凸部２１の下端が上記凹凸部２４の凹部に嵌合して、上記後付けミラー３が上記後付けルームミラー本体１に固定されるようになる。
【００２０】
図６及び図７は本発明の他の実施例を示し、この実施例においては、上記後付けルームミラー３の欠除部分で後付けルームミラー本体１の一側に、サブミラー本体２５を回動自在に設ける。このサブミラー本体２５の上面に上記後付けルームミラー本体１に対して傾斜した円形のサブミラー２６を固定せしめる。
【００２１】
本発明の上記他の実施例においては、上記サブミラー本体２５を上記後付けルームミラー本体１に対して相対的に回転せしめれば、上記サブミラー２６が傾斜しているのでその視界の方向を任意に変えることができるようになる。
【００２２】
【発明の効果】
上記のように本発明の車輌用後付けルームミラーによれば、ボタン操作のみで既設のルームミラーに対して相対的に後付けルームミラーを左右に容易に移動できるようになる。
【００２３】
また、既設のルームミラーよりも横幅の大きい後付けルームミラーを左右に移動できるので、サンバイザーの使用の障害にはならなず、また、左右方向に移動するので、視界の大幅な狂いはない。
【００２４】
また、サブミラーを用いれば、容易に視界の方向を変えることができるようになる等大きな利益がある。
【図面の簡単な説明】
【図１】本発明の車輌用後付けルームミラーのミラー部分を外した状態の正面図である。
【図２】本発明の車輌用後付けルームミラーのミラー部分を外した状態の縦断側面図である。
【図３】本発明の車輌用後付けルームミラーの後付けルームミラー本体の分解斜視図である。
【図４】本発明の車輌用後付けルームミラーの一部の背面図である。
【図５】図４に示すミラー部分の縦断側面図である。
【図６】本発明の車輌用後付けルームミラーの他の実施例の正面図である。
【図７】図６に示すサブミラーの縦断正面図である。
【図８】従来の車輌用後付けルームミラーの側面図である。
【図９】図８に示す後付けルームミラーの縦断側面図である。
【図１０】図９に示す後付けルームミラー本体の正面図である。
【図１１】図９に示す後付けルームミラー本体の背面図である。
【符号の説明】
１  後付けルームミラー本体
２  ルームミラー
３  後付けミラー
４  下部顎
５  溝
６  可動片
７  上部可動顎
８  爪
９  枢支部
１０  コイルバネ
１１  基部
１２  両端
１３  レール
１４  他方のレール
１５  一方のレール
１６  他方のレール
１７  枠
１８  溝
１９  可動片
２０  押しボタン
２１  凸部
２２  バネ
２３  係合部
２４  凹凸部
２５  サブミラー本体
２６  円形のサブミラー
【図１】
2004217012.tif 000003
【図２】
2004217012.tif 000004
【図３】
2004217012.tif 000005
【図４】
2004217012.tif 000006
【図５】
2004217012.tif 000007
【図６】
2004217012.tif 000008
【図７】
2004217012.tif 000009
【図８】
2004217012.tif 000010
【図９】
2004217012.tif 000011
【図１０】
2004217012.tif 000012
【図１１】
2004217012.tif 000013